Podtech/llm-jp-corpus-v4-ja_patent huggingface dataset:
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
遊技を行う遊技機において、
遊技を進行可能な遊技操作手段と、
遊技者によって操作される第１操作手段と、
遊技者によって操作される第２操作手段と、
複数種類の演出設定のうちのいずれかの演出設定を変更可能な演出設定状態に制御する演出設定状態手段と、
前記演出設定状態における経過時間を計時する計時手段と、
前記経過時間が所定時間に到達したときに前記演出設定状態から他の状態に状態移行させる状態移行手段とを備え、
前記第１操作手段の操作には、第１操作および第２操作があり、
前記演出設定状態においては、第１状況と、第２状況と、第３状況とがあり、
前記第１状況においては、前記第１操作手段の前記第１操作および前記第２操作に基づき前記演出設定を変更可能である一方で、前記第２操作手段の操作に基づき前記演出設定を変更不可能であり、
前記第２状況においては、前記第１操作手段の前記第１操作に基づき前記演出設定を変更可能である一方で、前記第１操作手段の前記第２操作および前記第２操作手段の操作のいずれに基づいても前記演出設定を変更不可能であり、
前記第３状況においては、前記第１操作手段の前記第２操作に基づき前記演出設定を変更可能である一方で、前記第１操作手段の前記第１操作および前記第２操作手段の操作のいずれに基づいても前記演出設定を変更不可能であり、
前記計時手段は、
前記第１状況、前記第２状況および前記第３状況のいずれであるかに関わらず、前記遊技操作手段の操作に基づいて、計時した前記経過時間を初期化せず、
前記第１状況、前記第２状況および前記第３状況のいずれであるかに関わらず、前記第１操作手段の前記第１操作および前記第２操作ならびに前記第２操作手段の操作のいずれに基づいても、計時した前記経過時間を初期化する、遊技機。
【手続補正２】
【補正対象書類名】明細書
【補正対象項目名】０００７
【補正方法】変更
【補正の内容】
【０００７】
（Ａ）  遊技を行う遊技機において、
遊技を進行可能な遊技操作手段と、
遊技者によって操作される第１操作手段と、
遊技者によって操作される第２操作手段と、
複数種類の演出設定のうちのいずれかの演出設定を変更可能な演出設定状態に制御する演出設定状態手段と、
前記演出設定状態における経過時間を計時する計時手段と、
前記経過時間が所定時間に到達したときに前記演出設定状態から他の状態に状態移行させる状態移行手段とを備え、
前記第１操作手段の操作には、第１操作および第２操作があり、
前記演出設定状態においては、第１状況と、第２状況と、第３状況とがあり、
前記第１状況においては、前記第１操作手段の前記第１操作および前記第２操作に基づき前記演出設定を変更可能である一方で、前記第２操作手段の操作に基づき前記演出設定を変更不可能であり、
前記第２状況においては、前記第１操作手段の前記第１操作に基づき前記演出設定を変更可能である一方で、前記第１操作手段の前記第２操作および前記第２操作手段の操作のいずれに基づいても前記演出設定を変更不可能であり、
前記第３状況においては、前記第１操作手段の前記第２操作に基づき前記演出設定を変更可能である一方で、前記第１操作手段の前記第１操作および前記第２操作手段の操作のいずれに基づいても前記演出設定を変更不可能であり、
前記計時手段は、
前記第１状況、前記第２状況および前記第３状況のいずれであるかに関わらず、前記遊技操作手段の操作に基づいて、計時した前記経過時間を初期化せず、
前記第１状況、前記第２状況および前記第３状況のいずれであるかに関わらず、前記第１操作手段の前記第１操作および前記第２操作ならびに前記第２操作手段の操作のいずれに基づいても、計時した前記経過時間を初期化する。
（１）  遊技を行う遊技機（たとえば、スロットマシン１，パチンコ遊技機）において
、
遊技者によって操作される第１操作手段（たとえば、左右キー７１ａ）と、
遊技者によって操作される第２操作手段（たとえば、上下キー７１ｂ）と、
複数種類の選択項目（たとえば、図９に示す音量調整における１〜１４の第２音量段階
）のうちからいずれかの選択項目が選択可能な選択可能状態（たとえば、音量調整画面が
表示された状態）に制御する選択可能状態手段（たとえば、サブ制御部９１）と、
前記選択可能状態における経過時間を計時する計時手段（たとえば、図１０に示すサブ
制御部９１によるＳ１３でカウントタイマを更新する処理）と、
前記経過時間が所定時間（たとえば、３分間）に到達したときに前記選択可能状態から
他の状態（たとえば、デモ状態）に状態移行させる状態移行手段（たとえば、図１０に示
すサブ制御部９１によるＳ１６でデモ状態に移行する処理）とを備え、
前記選択可能状態においては、前記第１操作手段の操作に基づき前記選択項目が選択可
能である（たとえば、図９に示す音量調整画面では左右キー７１ａで第２音量段階を選択
可能）一方で、前記第２操作手段の操作に基づき前記選択項目が選択不可能（たとえば、
図９に示す音量調整画面では上下キー７１ｂで第２音量段階を選択不可能）であり、
前記計時手段は、前記第１操作手段の操作および前記第２操作手段の操作のいずれに基
づいても、計時した前記経過時間を初期化する（たとえば、図１０のＳ１８および図１２
に示すように、サブ制御部９１は、左右キー７１ａに限らず上下キー７１ｂの操作でカウ
ントタイマによる計時をリセットする）。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
前面が開放された本体と、
前記本体の前面を開閉可能な開閉扉と、
前記開閉扉に設けられ、音を出力可能な第１スピーカと、
前記開閉扉に設けられ、音を出力可能な第２スピーカと、
前記第２スピーカの背面側に空間部が形成されるように覆うエンクロージャと、
貯留部に貯留された遊技媒体を払出すための払出装置と、
中空の箱状に形成され、上方に前記払出装置が設けられる設置台と、を備え、
前記エンクロージャは、前記開閉扉の背面側に突出するように設けられ、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である、遊技機。
【手続補正２】
【補正対象書類名】明細書
【補正対象項目名】０００２
【補正方法】変更
【補正の内容】
【０００２】
遊技機の一例であるスロットマシンにあっては、前面が開放された筐体と、前面を開閉する前面扉と、を備えており、この種のスロットマシンにおいては、スピーカと、該スピーカからの音響を前面扉に設けられた音孔に導く筒状の音通路部材と、が筐体内に設けられ、前面扉により筐体の前面を閉鎖時に、筐体側のスピーカ及び音通路部材と、前面扉側の音孔と、が連通するように構成されたもの等があった（例えば、特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２０１３−１６５７４８号公報
【手続補正５】
【補正対象書類名】明細書
【補正対象項目名】０００５
【補正方法】変更
【補正の内容】
【０００５】
上記特許文献１に記載のスロットマシンには問題があった。
【手続補正６】
【補正対象書類名】明細書
【補正対象項目名】０００６
【補正方法】変更
【補正の内容】
【０００６】
本発明は、このような問題点に着目してなされたもので、音響性能が高い遊技機を提供することを目的とする。
【手続補正７】
【補正対象書類名】明細書
【補正対象項目名】０００７
【補正方法】変更
【補正の内容】
【０００７】
（Ａ）遊技が可能な遊技機であって、
前面が開放された本体と、
前記本体の前面を開閉可能な開閉扉と、
前記開閉扉に設けられ、音を出力可能な第１スピーカと、
前記開閉扉に設けられ、音を出力可能な第２スピーカと、
前記第２スピーカの背面側に空間部が形成されるように覆うエンクロージャと、
貯留部に貯留された遊技媒体を払出すための払出装置と、
中空の箱状に形成され、上方に前記払出装置が設けられる設置台と、を備え、
前記エンクロージャは、前記開閉扉の背面側に突出するように設けられ、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である。
手段１の遊技機は、
遊技が可能な遊技機（例えば、スロットマシン１）であって、
前面が開放された本体（例えば、筐体１ａ）と、
前記本体の前面における所定領域（例えば、上部領域）を開閉可能な第１開閉扉（例え
ば、第１扉部１ｄ）と、
前記本体の前面における前記所定領域以外の領域（例えば、下部領域）を開閉可能な第
２開閉扉（例えば、第２扉部１ｅ）と、
を備え、
前記第２開閉扉は、
遊技媒体（例えば、メダル）を投入可能な投入部（例えば、メダル投入部４）と、
前記投入部から投入された遊技媒体を選別して取込経路（例えば、第１流路Ｒ１）また
は返却経路（例えば、第２流路Ｒ２）に誘導するための遊技媒体選別手段（例えば、メダ
ルセレクタ２９）と、
前記遊技媒体選別手段を被覆する被覆状態と被覆しない非被覆状態とに変化可能なカバ
ー部（例えば、カバー部材２０５）と、
を有し、
前記第１開閉扉は、該第１開閉扉と前記第２開閉扉とにより前記本体の前面を閉鎖した
状態において前記カバー部の前記被覆状態から前記非被覆状態への変化を規制する規制手
段を備える（例えば、第１扉部１ｄと第２扉部１ｅとにより筐体１ａの前面を閉鎖した状
態において、扉フレーム２０６が被覆状態のカバー部材２０５の上端を背面側から押える
ように機能し、第２扉部１ｅを開放しなければカバー部材２０５を被覆状態から非被覆状
態への変化させることができない。図３６及び図３７参照。）
ことを特徴としている。
この特徴によれば、第１開閉扉と第２開閉扉とにより本体の前面を閉鎖した状態におい
て、カバー部を非被覆状態に変化させて遊技媒体選別手段に不正にアクセスすることを抑
制できる。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
前面が開放された本体と、
前記本体の前面を開閉可能な開閉扉と、
音を出力可能なスピーカと、
前記スピーカの背面側に空間部が形成されるように覆うエンクロージャと、
前記エンクロージャの内空と連通するダクトと、
貯留部に貯留された遊技媒体を払出すための払出装置と、
中空の箱状に形成され、上方に前記払出装置が設けられる設置台と、を備え、
前記エンクロージャは、前記開閉扉の背面側に突出するように設けられ、
前記ダクトは、前記開閉扉の前面に設けられる孔部と連通するように設けられ、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である、遊技機。
【手続補正２】
【補正対象書類名】明細書
【補正対象項目名】０００２
【補正方法】変更
【補正の内容】
【０００２】
遊技機の一例であるスロットマシンにあっては、前面が開放された筐体と、前面を開閉する前面扉と、を備えており、この種のスロットマシンにおいては、スピーカと、該スピーカからの音響を前面扉に設けられた音孔に導く筒状の音通路部材と、が筐体内に設けられ、前面扉により筐体の前面を閉鎖時に、筐体側のスピーカ及び音通路部材と、前面扉側の音孔と、が連通するように構成されたもの等があった（例えば、特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２０１３−１６５７４８号公報
【手続補正５】
【補正対象書類名】明細書
【補正対象項目名】０００５
【補正方法】変更
【補正の内容】
【０００５】
上記特許文献１に記載のスロットマシンには問題があった。
【手続補正６】
【補正対象書類名】明細書
【補正対象項目名】０００６
【補正方法】変更
【補正の内容】
【０００６】
本発明は、このような問題点に着目してなされたもので、音響性能が高い遊技機を提供することを目的とする。
【手続補正７】
【補正対象書類名】明細書
【補正対象項目名】０００７
【補正方法】変更
【補正の内容】
【０００７】
（Ａ）遊技が可能な遊技機であって、
前面が開放された本体と、
前記本体の前面を開閉可能な開閉扉と、
音を出力可能なスピーカと、
前記スピーカの背面側に空間部が形成されるように覆うエンクロージャと、
前記エンクロージャの内空と連通するダクトと、
貯留部に貯留された遊技媒体を払出すための払出装置と、
中空の箱状に形成され、上方に前記払出装置が設けられる設置台と、を備え、
前記エンクロージャは、前記開閉扉の背面側に突出するように設けられ、
前記ダクトは、前記開閉扉の前面に設けられる孔部と連通するように設けられ、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である。
手段１の遊技機は、
技が可能な遊技機（例えば、スロットマシン１）であって、
遊技媒体（例えば、メダル）を貯留するための貯留部（例えば、ホッパータンク３４ａ
）と該貯留部に貯留された遊技媒体を払出すための払出装置（例えば、ホッパーモータ３
４ｂ）とを有する払出ユニット（例えば、ホッパーユニット３４）と、
前記払出ユニットの貯留部から遊技媒体を受け入れ可能な受入部（例えば、オーバーフ
ロータンク３５）と、
を備え、
前記受入部は、
上面が開口する箱状に形成され、
所定の設置部（例えば、オーバーフロータンク３５の貫通孔３５ｅに挿入した満タンセ
ンサ３５ａがタンク内部に貯留されたメダルを検出可能に配置され、かつ、オーバーフロ
ータンク３５のフランジ部３５ｂの後端縁を背板１Ｅに近接または当接した位置。（オー
バーフロータンク設置部）図２６参照。）に設置した状態において、前記開口の周縁部（
例えば、フランジ部３５ｂ）が前記払出ユニットに接するまたは近接する（例えば、ホッ
パータンク３４ａから遊技媒体を受け入れ可能な位置（所定の設置部）にオーバーフロー
タンク３５を設置した状態にあっては、オーバーフロータンク３５のフランジ部３５ｂと
ホッパーユニット３４の載置台３４ｄとが近接または当接するようになっている。図２６
〜図２８参照。）
ことを特徴としている。
この特徴によれば、払出ユニットの貯留部からの遊技媒体を受入部にて受け入れる際に
遊技媒体が周囲に散乱してしまうことを抑制できる。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技機の前面を開放状態または閉鎖状態にすることが可能な開閉部材と、
遊技の演出に用いられ、遊技者が操作可能な操作手段と、
前記操作手段の態様を制御する態様制御手段と、
異常を報知可能な異常報知手段と、
前記開閉部材が開放状態である旨を報知する開放報知を行う開放報知手段とを備え、
前記操作手段への操作を受け付ける有効状態と前記操作手段への操作を受け付けない無効状態とがあり、
前記開放報知手段は、前記開閉部材が開放状態であるときに前記開放報知を行うとともに、当該開閉部材が開放状態から閉鎖状態になった後、所定期間に亘って当該開放報知を継続し、当該所定期間が経過した後、当該開放報知を終了し、
前記態様制御手段は、
異常が報知されているときに、前記操作手段の態様を異常報知時の態様に制御し、
前記有効状態でありかつ前記開閉部材が閉鎖状態であるときに前記操作手段の態様を第１態様に制御可能であり、
前記有効状態でありかつ前記開閉部材が開放状態であるときに、前記操作手段の態様を第２態様に制御し、当該開閉部材が開放状態から閉鎖状態になった後、前記開放報知が行われている前記所定期間に亘って当該操作手段の態様を当該第２態様に維持するよう制御し、当該所定期間が経過した後、当該操作手段の態様を第１態様に制御する、遊技機。
【手続補正２】
【補正対象書類名】明細書
【補正対象項目名】０００７
【補正方法】変更
【補正の内容】
【０００７】
（Ａ）遊技を行うことが可能な遊技機であって、
遊技機の前面を開放状態または閉鎖状態にすることが可能な開閉部材と、
遊技の演出に用いられ、遊技者が操作可能な操作手段と、
前記操作手段の態様を制御する態様制御手段と、
異常を報知可能な異常報知手段と、
前記開閉部材が開放状態である旨を報知する開放報知を行う開放報知手段とを備え、
前記操作手段への操作を受け付ける有効状態と前記操作手段への操作を受け付けない無効状態とがあり、
前記開放報知手段は、前記開閉部材が開放状態であるときに前記開放報知を行うとともに、当該開閉部材が開放状態から閉鎖状態になった後、所定期間に亘って当該開放報知を継続し、当該所定期間が経過した後、当該開放報知を終了し、
前記態様制御手段は、
異常が報知されているときに、前記操作手段の態様を異常報知時の態様に制御し、
前記有効状態でありかつ前記開閉部材が閉鎖状態であるときに前記操作手段の態様を第１態様に制御可能であり、
前記有効状態でありかつ前記開閉部材が開放状態であるときに、前記操作手段の態様を第２態様に制御し、当該開閉部材が開放状態から閉鎖状態になった後、前記開放報知が行われている前記所定期間に亘って当該操作手段の態様を当該第２態様に維持するよう制御し、当該所定期間が経過した後、当該操作手段の態様を第１態様に制御する。
（１）  遊技を行うことが可能な遊技機（スロットマシン１、パチンコ遊技機）であっ
て、
遊技者が操作可能な操作手段（ＭＡＸＢＥＴスイッチ６、ストップスイッチ８Ｌ，８Ｃ
，８Ｒ、プッシュボタン）と、
前記操作手段の態様を制御する態様制御手段（ＢＥＴスイッチ有効ＬＥＤ６ａやストッ
プスイッチ有効ＬＥＤ５７Ｌ，５７Ｃ，５７Ｒ等の点灯態様を制御するサブ制御部９１）
と、
異常を報知可能な異常報知手段（液晶表示器５１）とを備え、
前記操作手段への操作を受け付ける有効状態（ＢＥＴ操作有効状態、停止操作有効状態
）と前記操作手段への操作を受け付けない無効状態（ＢＥＴ操作無効状態、停止操作無効
状態）とがあり、
前記態様制御手段は、
前記無効状態であるときに、前記操作手段の態様を第１態様（消灯態様）にし、
前記有効状態でありかつ異常が報知されていないときに、前記操作手段の態様を第２
態様（点灯態様）にし、
前記有効状態でありかつ異常が報知されているときに、前記操作手段の態様を前記第
１態様にする（図３５のタイミングｔ４からタイミングｔ５において、エラー報知（サブ
）がされているときに、ＢＥＴ操作有効状態であるものの、ＢＥＴスイッチ有効ＬＥＤ６
ａは消灯している）。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
前面が開放された本体と、
前記本体の前面を開閉可能な開閉扉と、
音を出力可能なスピーカと、
前記スピーカの背面側に空間部が形成されるように覆うエンクロージャと、
貯留部に貯留された遊技媒体を払出すための払出装置と、
中空の箱状に形成され、上方に前記払出装置が設けられる設置台と、を備え、
前記エンクロージャは、前面枠と背面枠とから構成され、前記前面枠と前記背面枠とを組付けて一体化した状態で前記開閉扉の背面側に突出するように設けられ、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である、遊技機。
【手続補正２】
【補正対象書類名】明細書
【補正対象項目名】０００６
【補正方法】変更
【補正の内容】
【０００６】
（Ａ）遊技が可能な遊技機であって、
前面が開放された本体と、
前記本体の前面を開閉可能な開閉扉と、
音を出力可能なスピーカと、
前記スピーカの背面側に空間部が形成されるように覆うエンクロージャと、
貯留部に貯留された遊技媒体を払出すための払出装置と、
中空の箱状に形成され、上方に前記払出装置が設けられる設置台と、を備え、
前記エンクロージャは、前面枠と背面枠とから構成され、前記前面枠と前記背面枠とを組付けて一体化した状態で前記開閉扉の背面側に突出するように設けられ、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である。
手段１の遊技機は、
遊技が可能な遊技機（例えば、スロットマシン１）であって、
前面が開放された本体（例えば、筐体１ａ）と、
前記本体の前面を開閉可能な開閉扉（例えば、前面扉１ｂ）と、
音を出力可能なスピーカ（例えば、第２スピーカ５８）と、
前記スピーカの背面側に空間部（例えば、音響用空間部）が形成されるように覆うエン
クロージャ（例えば、エンクロージャ４０１）と、
を備え、
前記エンクロージャは、前記開閉扉の背面（例えば、前板１ｇの背面）から突出するよ
うに設けられ、
前記本体には、該本体に設置される遊技部品（例えば、ホッパーユニット３４等）また
は遊技部品の設置部材（例えば、載置台３４ｄ、あるいは遊技部品の取付部材）が配置さ
れない空間であって、前記開閉扉を閉鎖したときに前記エンクロージャが収容される収容
部（例えば、載置台３４ｄの内部空間Ｓや、筐体１ａにおける電源基板ボックス１００、
載置台３４ｄ及びオーバーフロータンク３５と筐体１ａの前面開口との間に形成される空
間部）が設けられている
ことを特徴としている。
この特徴によれば、エンクロージャを本体側の空間を利用して大きく形成することがで
きるので、音響を向上させることができる。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技機の前面を開放状態または閉鎖状態にすることが可能な開閉部材と、
遊技の演出に用いられ、遊技者が操作可能な操作手段と、
前記操作手段の態様を制御する態様制御手段と、
前記開閉部材が開放状態である旨を報知する開放報知を行う開放報知手段とを備え、
前記操作手段への操作を受け付ける有効状態と前記操作手段への操作を受け付けない無効状態とがあり、
前記開放報知手段は、前記開閉部材が開放状態であるときに前記開放報知を行うとともに、当該開閉部材が開放状態から閉鎖状態になった後、所定期間に亘って当該開放報知を継続し、当該所定期間が経過した後、当該開放報知を終了し、
前記態様制御手段は、
前記有効状態でありかつ前記開閉部材が閉鎖状態であるときに前記操作手段の態様を第１態様に制御可能であり、
前記有効状態でありかつ前記開閉部材が開放状態であるときに、前記操作手段の態様を第２態様に制御し、当該開閉部材が開放状態から閉鎖状態になった後、前記開放報知が行われている前記所定期間に亘って当該操作手段の態様を当該第２態様に維持するよう制御し、当該所定期間が経過した後、当該操作手段の態様を第１態様に制御する、遊技機。
【手続補正２】
【補正対象書類名】明細書
【補正対象項目名】０００７
【補正方法】変更
【補正の内容】
【０００７】
（Ａ）遊技を行うことが可能な遊技機であって、
遊技機の前面を開放状態または閉鎖状態にすることが可能な開閉部材と、
遊技の演出に用いられ、遊技者が操作可能な操作手段と、
前記操作手段の態様を制御する態様制御手段と、
前記開閉部材が開放状態である旨を報知する開放報知を行う開放報知手段とを備え、
前記操作手段への操作を受け付ける有効状態と前記操作手段への操作を受け付けない無効状態とがあり、
前記開放報知手段は、前記開閉部材が開放状態であるときに前記開放報知を行うとともに、当該開閉部材が開放状態から閉鎖状態になった後、所定期間に亘って当該開放報知を継続し、当該所定期間が経過した後、当該開放報知を終了し、
前記態様制御手段は、
前記有効状態でありかつ前記開閉部材が閉鎖状態であるときに前記操作手段の態様を第１態様に制御可能であり、
前記有効状態でありかつ前記開閉部材が開放状態であるときに、前記操作手段の態様を第２態様に制御し、当該開閉部材が開放状態から閉鎖状態になった後、前記開放報知が行われている前記所定期間に亘って当該操作手段の態様を当該第２態様に維持するよう制御し、当該所定期間が経過した後、当該操作手段の態様を第１態様に制御する。
（１）  遊技を行うことが可能な遊技機（スロットマシン１、パチンコ遊技機）であっ
て、
遊技機の前面を開放状態または閉鎖状態にすることが可能な開閉部材（前面扉１ｂ）と
、
遊技者が操作可能な操作手段（ストップスイッチ８Ｌ，８Ｃ，８Ｒ、プッシュボタン）
と、
前記操作手段の態様を制御する態様制御手段（ＢＥＴスイッチ有効ＬＥＤ６ａやストッ
プスイッチ有効ＬＥＤ５７Ｌ，５７Ｃ，５７Ｒなどの点灯態様を制御するサブ制御部９１
）とを備え、
前記操作手段への操作を受け付ける有効状態（停止操作有効状態）と前記操作手段への
操作を受け付けない無効状態（停止操作無効状態）とがあり、
前記態様制御手段は、
前記無効状態であるときに、前記操作手段の態様を第１態様（消灯態様）にし、
前記有効状態でありかつ前記閉鎖状態であるときに、前記操作手段の態様を第２態様
（点灯態様）にし、
前記有効状態でありかつ前記開放状態であるときに、前記操作手段の態様を前記第１
態様にする（図３４のタイミングｔ３からタイミングｔ４において、前面扉１ｂが開放し
ているときに、停止操作有効状態であるものの、ストップスイッチ有効ＬＥＤは消灯して
いる）。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
前面が開放された本体と、
前記本体の前面を開閉可能な開閉扉と、
音を出力可能なスピーカと、
前記スピーカの背面側に空間部が形成されるように覆うエンクロージャと、
貯留部に貯留された遊技媒体を払出すための払出装置と、
中空の箱状に形成され、上方に前記払出装置が設けられる設置台と、を備え、
前記エンクロージャは、前記開閉扉の背面側に突出するように設けられ、
前記スピーカに接続される配線は、前記エンクロージャに形成される孔部から引き出され、
前記エンクロージャは、該エンクロージャの孔部を閉鎖するための閉鎖部材を有し、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である、遊技機。
【手続補正２】
【補正対象書類名】明細書
【補正対象項目名】０００４
【補正方法】変更
【補正の内容】
【０００４】
上記特許文献１に記載のスロットマシンには問題があった。
【手続補正３】
【補正対象書類名】明細書
【補正対象項目名】０００５
【補正方法】変更
【補正の内容】
【０００５】
本発明は、このような問題点に着目してなされたもので、音響性能が高い遊技機を提供することを目的とする。
【手続補正４】
【補正対象書類名】明細書
【補正対象項目名】０００６
【補正方法】変更
【補正の内容】
【０００６】
（Ａ）遊技が可能な遊技機であって、
前面が開放された本体と、
前記本体の前面を開閉可能な開閉扉と、
音を出力可能なスピーカと、
前記スピーカの背面側に空間部が形成されるように覆うエンクロージャと、
貯留部に貯留された遊技媒体を払出すための払出装置と、
中空の箱状に形成され、上方に前記払出装置が設けられる設置台と、を備え、
前記エンクロージャは、前記開閉扉の背面側に突出するように設けられ、
前記スピーカに接続される配線は、前記エンクロージャに形成される孔部から引き出され、
前記エンクロージャは、該エンクロージャの孔部を閉鎖するための閉鎖部材を有し、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である。
手段１の遊技機は、
遊技が可能な遊技機（例えば、スロットマシン１）であって、
音を出力可能なスピーカ（例えば、第２スピーカ５８）と、
前記スピーカの背面側に空間部が形成されるように覆うエンクロージャ（例えば、エン
クロージャ４０１）と、
前記エンクロージャが取付けられる被取付部（例えば、前面扉１ｂ（第２扉部１ｅ）の
前板１ｇの背面）と、
を備え、
前記エンクロージャを前記被取付部に取付けた状態において、前記エンクロージャと前
記被取付部との間に防振部材が設けられる（例えば、エンクロージャ４０１と前板１ｇの
背面との間に防振ゴム４１２が設けられ、前板１ｇの背面にエンクロージャ４０１を取付
た状態において、エンクロージャ４０１の前面が防振ゴム４１２の厚み分後方に離間する
。図３１参照。）
ことを特徴としている。
この特徴によれば、エンクロージャの振動が被取付部に伝達されることで音響に影響が
及ぶことを抑制できる。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
前面が開放された本体と、
前記本体の前面を開閉可能な開閉扉と、
音を出力可能なスピーカと、
前記スピーカの背面側に空間部が形成されるように覆うエンクロージャと、
貯留部に貯留された遊技媒体を払出すための払出装置と、
中空の箱状に形成され、上方に前記払出装置が設けられる設置台と、を備え、
前記エンクロージャは、外縁に複数の取付部を有し、該複数の取付部を前記開閉扉の背面にネジで固定することで前記開閉扉の背面側に突出するように設けられ、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である、遊技機。
【手続補正２】
【補正対象書類名】明細書
【補正対象項目名】０００２
【補正方法】変更
【補正の内容】
【０００２】
遊技機の一例であるスロットマシンにあっては、前面が開放された筐体と、前面を開閉する前面扉と、を備えており、この種のスロットマシンにおいては、スピーカと、該スピーカからの音響を前面扉に設けられた音孔に導く筒状の音通路部材と、が筐体内に設けられ、前面扉により筐体の前面を閉鎖時に、筐体側のスピーカ及び音通路部材と、前面扉側の音孔と、が連通するように構成されたもの等があった（例えば、特許文献１参照）。
【手続補正３】
【補正対象書類名】明細書
【補正対象項目名】０００３
【補正方法】変更
【補正の内容】
【０００３】
【特許文献１】特開２０１３−１６５７４８号公報
【手続補正４】
【補正対象書類名】明細書
【補正対象項目名】０００４
【補正方法】変更
【補正の内容】
【０００４】
上記特許文献１に記載のスロットマシンには問題があった。
【手続補正５】
【補正対象書類名】明細書
【補正対象項目名】０００５
【補正方法】変更
【補正の内容】
【０００５】
本発明は、このような問題点に着目してなされたもので、音響性能が高い遊技機を提供
することを目的とする。
【手続補正６】
【補正対象書類名】明細書
【補正対象項目名】０００６
【補正方法】変更
【補正の内容】
【０００６】
（Ａ）遊技が可能な遊技機であって、
前面が開放された本体と、
前記本体の前面を開閉可能な開閉扉と、
音を出力可能なスピーカと、
前記スピーカの背面側に空間部が形成されるように覆うエンクロージャと、
貯留部に貯留された遊技媒体を払出すための払出装置と、
中空の箱状に形成され、上方に前記払出装置が設けられる設置台と、を備え、
前記エンクロージャは、外縁に複数の取付部を有し、該複数の取付部を前記開閉扉の背面にネジで固定することで前記開閉扉の背面側に突出するように設けられ、
前記本体には、該本体に設置される遊技部品または遊技部品の設置部が配置されない空間であって、前記開閉扉を閉鎖したときに前記エンクロージャが収容される収容部が設けられ、
前記収容部は、前記本体の底面と前記設置台の側壁とにより前記エンクロージャを囲むように収容可能な空間である。
手段１の遊技機は、
遊技が可能な遊技機（例えば、スロットマシン１）であって、
各々を接続することにより一のフレーム体を形成可能であり（例えば、筐体１ａが組み
立てられた際には、隣接する第１フレーム３０１〜第８フレーム３０８同士がそれぞれ接
続されて一のフレーム体を構成する。図１５、図１６、図３９参照。）、導電性を有する
複数のフレーム（例えば、第１フレーム３０１〜第８フレーム３０８）と、
前記複数のフレームを介して組付けることで前面が開放された本体（例えば、筐体１ａ
）を構成する複数の板部材（例えば、上板１Ａ、左側板１Ｂ、右側板１Ｃ、底板１Ｄ、背
板１Ｅ）と、
前記本体に設けられ電気部品を含む遊技部材（例えば、遊技制御基板４０を収納する遊
技制御基板ケース３５０／リール中継基板及びリールＬＥＤ中継基板を収納するリール中
継基板ケース３６０が設けられたリールボックス３４０）と、
前記遊技部材を前記複数の板部材のうち少なくとも一の板部材（例えば、背板１Ｅ）に
取付けるための取付部材（例えば、固定ベース３２０／上リール支持金具３１０）と、
を備え、
前記取付部材は、導電性を有し、前記複数のフレームのうち少なくとも一のフレームに
接している（例えば、第５フレーム３０５Ｌの第５背板部３０５ｂの上部には、上下方向
を向く上下一対の回動軸３２０ａを有する金属製の固定ベース３２０が前面側から取付け
られている。図１２〜図１５参照。／上リール支持金具３１０の左端が第５フレーム３０
５Ｌにおける被取付部３０５ｃに固定され、上リール支持金具３１０の右端が第５フレー
ム３０５Ｒにおける被取付部と固定されている。図１４参照。）
ことを特徴としている。
この特徴によれば、各板部材に対応するフレーム同士を接続して一のフレーム体を形成
することにより複数の板部材が連結されるので本体の強度が向上するとともに、遊技部材
を取付部材を介して一のフレーム体に接地できるため、静電気などにより遊技部材に不具
合が生じることを抑制できる。
【手続補正書】
【提出日】令和2年2月27日(2020.2.27)
【手続補正１】
【補正対象書類名】特許請求の範囲
【補正対象項目名】請求項３
【補正方法】変更
【補正の内容】
【請求項３】
前記分離膜は、二酸化炭素だけでなく水蒸気をも選択的に透過させるものであり、
前記第２空間の水蒸気分圧が前記第１空間の水蒸気分圧と実質的に等しくなるように前
記第２空間に水蒸気を供給する水蒸気供給装置をさらに備える、請求項１に記載の空気浄
化システム。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
所定の遊技を実行可能な遊技制御手段と、
前記所定の遊技に応じた遊技演出を実行可能な演出制御手段と、を有する遊技機であって、
前記演出制御手段は、
画像を表示可能な第１表示領域において特定の遊技に応じた特定遊技演出を行っているときに、可動装置の動作による動作演出を実行可能であり、
画像を表示可能な第２表示領域において前記特定遊技演出を行っているときには、前記動作演出の実行を規制し、
前記所定の遊技には、第１遊技と、第２遊技とがあり、
前記遊技演出には、前記第１遊技に応じた第１遊技演出と、前記第２遊技に応じた第２遊技演出とがあり、
前記特定の遊技は前記第１遊技であり、前記特定遊技演出は前記第１遊技演出であり、
前記第１表示領域において前記第１遊技演出を行われているときに前記第２遊技が開始されたことによって、前記第２表示領域において前記第１遊技演出が実行され、前記第１表示領域において前記第２遊技演出が実行されることがあることを特徴とする遊技機。
【手続補正２】
【補正対象書類名】明細書
【補正対象項目名】０００７
【補正方法】変更
【補正の内容】
【０００７】
本発明の遊技機は、上記課題を解決するために、
所定の遊技を実行可能な遊技制御手段と、
前記所定の遊技に応じた遊技演出を実行可能な演出制御手段と、を有する遊技機であって、
前記演出制御手段は、
画像を表示可能な第１表示領域において特定の遊技に応じた特定遊技演出を行っているときに、可動装置の動作による動作演出を実行可能であり、
画像を表示可能な第２表示領域において前記特定遊技演出を行っているときには、前記動作演出の実行を規制し、
前記所定の遊技には、第１遊技と、第２遊技とがあり、
前記遊技演出には、前記第１遊技に応じた第１遊技演出と、前記第２遊技に応じた第２遊技演出とがあり、
前記特定の遊技は前記第１遊技であり、前記特定遊技演出は前記第１遊技演出であり、
前記第１表示領域において前記第１遊技演出を行われているときに前記第２遊技が開始されたことによって、前記第２表示領域において前記第１遊技演出が実行され、前記第１表示領域において前記第２遊技演出が実行されることがあることを特徴とする。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
所定の遊技を実行可能な遊技制御手段と、遊技に応じた遊技演出を実行可能な演出制御手段と、遊技者が操作可能な操作手段と、を有する遊技機であって、
前記演出制御手段は、
画像を表示可能な第１表示領域において特定の遊技に応じた特定遊技演出を行っているときに、当該第１表示領域において前記操作手段の操作を促す画像を表示可能であり、当該画像が表示されているときに前記操作手段が操作されると、当該操作に応じた所定演出を実行可能であり、
画像を表示可能な第２表示領域において前記特定遊技演出を行っているときに、当該第２表示領域において前記操作手段の操作を促す画像を表示可能であり、当該画像が表示されているときに前記操作手段が操作されても、当該操作に応じた所定演出の実行を規制することを特徴とする遊技機。
【手続補正２】
【補正対象書類名】明細書
【補正対象項目名】０００７
【補正方法】変更
【補正の内容】
【０００７】
本発明の遊技機は、上記課題を解決するために、
所定の遊技を実行可能な遊技制御手段と、遊技に応じた遊技演出を実行可能な演出制御手段と、遊技者が操作可能な操作手段と、を有する遊技機であって、
前記演出制御手段は、
画像を表示可能な第１表示領域において特定の遊技に応じた特定遊技演出を行っているときに、当該第１表示領域において前記操作手段の操作を促す画像を表示可能であり、当該画像が表示されているときに前記操作手段が操作されると、当該操作に応じた所定演出を実行可能であり、
画像を表示可能な第２表示領域において前記特定遊技演出を行っているときに、当該第２表示領域において前記操作手段の操作を促す画像を表示可能であり、当該画像が表示されているときに前記操作手段が操作されても、当該操作に応じた所定演出の実行を規制することを特徴とする。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
かみそりヘッド（２）に可動刃（２１・２２）および固定刃（２３・２４）を備えた前
後一対の切断刃（１１・１２）が設けられ、各可動刃（２１・２２）を駆動する一対の振
動子（１６・１７）が、かみそりヘッド（２）に設けたヘッドケース（１５）の内部に配
置されており、モーター（６）と一対の振動子（１６・１７）の間に、モーター（６）の
回転動力を往復動力に変換する動力変換機構が設けてあり、
一対の振動子（１６・１７）が動力変換機構から出力される往復動力で、互いに逆向き
に往復駆動される往復動式の電気かみそりであって、
少なくとも一方の振動子（１６・１７）が、他方の振動子（１６・１７）に設けた案内
座（５１・５２）で支持されていることを特徴とする電気かみそり。
【請求項２】
動力変換機構が、モーター（６）の出力軸に固定した偏心カム（５４）と、一方の振動
子（１７）に設けられて前記偏心カム（５４）で往復駆動される受動部（５３）を備えて
おり、
前記一方の振動子（１７）と他方の振動子（１６）の間に、前記一方の振動子（１７）
の往復動作を他方の振動子（１６）に伝える伝動体（３８）が設けられている請求項１に
記載の電気かみそり。
【請求項３】
ヘッドケース（１５）が上ヘッドケース（３６）と下ヘッドケース（３７）を備えてお
り、
一対の振動子（１６・１７）の上面間に設けた伝動リンク（３８）の中央部が、上ヘッ
ドケース（３６）から下向きに突設した揺動軸体（５６）で往復揺動可能に軸支されてお
り、
上ヘッドケース（３６）に伝動リンク（３８）の上向きの移動を規制する押え体（６２
）が設けられている請求項２に記載の電気かみそり。
【請求項４】
押え体（６２）が、上ヘッドケース（３６）と一体に形成した規制突起で構成されてい
る請求項３に記載の電気かみそり。
【請求項５】
揺動軸体（５６）が、伝動リンク（３８）を軸支する軸部（６０）と、軸部（６０）の
上端周囲に形成される段部（６１）を備えており、
段部（６１）が伝動リンク（３８）の上面に接当して、揺動軸体（５６）で伝動リンク
（３８）の上向きの移動を規制している請求項３または４に記載の電気かみそり。
【請求項６】
受動部（５３）を備えた一方の振動子（１７）が、下ヘッドケース（３７）に設けた第
１案内座（５１）で左右スライド可能に案内支持されており、
他方の振動子（１６）が、前記一方の振動子（１７）に設けた第２案内座（５２）で左
右スライド可能に案内支持されている請求項３から５のいずれかひとつに記載の電気かみ
そり。
【請求項７】
一対の振動子（１６・１７）のそれぞれにスライド枠部（１６ｂ・１７ｂ）が形成され
ており、
前記スライド枠部（１６ｂ・１７ｂ）をヘッドケース（１５）に装着した一対のガイド
軸（４８・５０）でスライド案内して、各振動子（１６・１７）が左右スライドのみ可能
に案内支持されている請求項３から６のいずれかひとつに記載の電気かみそり。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
高周波パルスを送信する送信コイルと、
前記送信コイルに高周波パルス信号を伝送する高周波増幅器と、
前記高周波増幅器と前記送信コイルとの間に設けられ、線路長が前記高周波増幅器の送信効率又は出力電力に基づいて決定される位相調整用ケーブルと、
を備えた磁気共鳴イメージング装置。
【請求項２】
前記位相調整用ケーブルは、
線路長が異なる複数のケーブルの中から選択されるケーブルであり、
前記高周波増幅器の出力電力が所定値を超える場合に前記複数のケーブルのそれぞれで前記高周波増幅器の出力電力を検出した場合に、検出された複数の出力電力のうち最大出力電力を示す線路長に対応するケーブルである、
請求項１に記載の磁気共鳴イメージング装置。
【請求項３】
前記送信コイルは、全身用コイルであり、
前記高周波増幅器の出力電力が所定値を超える場合とは、前記全身用コイルの中に、所定の質量の人体部分からの磁気共鳴信号の放射を模擬するファントムを設置した状態である、
請求項２に記載の磁気共鳴イメージング装置。
【請求項４】
前記位相調整用ケーブルは、
線路長が異なる複数のケーブルの中から選択されるケーブルであり、
無負荷の状態で前記複数のケーブルのそれぞれで前記高周波増幅器の出力電力を検出した場合に、検出された複数の出力電力のうち最小出力電力を示す線路長に対して、所定の線路長を加減算して求めた線路長を有するケーブルである、
請求項１に記載の磁気共鳴イメージング装置。
【請求項５】
前記送信コイルは、全身用コイルであり、
前記無負荷の状態とは、前記全身用コイルの中が空の状態である、
請求項４に記載の磁気共鳴イメージング装置。
【請求項６】
前記高周波増幅器の出力電力を検波する検波器を更に有し、
前記線路長は、前記検波器で検出される前記出力電力に基づいて決定される、
請求項１乃至５にうちいずれか一項に記載の磁気共鳴イメージング装置。
【請求項７】
高周波パルスを送信する送信コイルと、
前記送信コイルに高周波パルス信号を伝送する高周波増幅器と、
前記高周波増幅器から前記送信コイルに前記高周波パルス信号を伝送するための、複数の線路長を有する複数の伝送線路と、
前記複数の線路長のうちいずれかの線路長を決定する決定手段と、
伝送線路を、前記決定された線路長を有する伝送線路に切り替える切替器と、
前記切替器による切り替えを制御する制御手段と、
を有する磁気共鳴イメージング装置。
【請求項８】
前記決定手段は、前記複数の伝送線路のそれぞれで前記高周波増幅器の出力電力を検出し、検出された複数の出力電力のうち最大出力電力を示す線路長に対応する伝送線路を選択する、
請求項７に記載の磁気共鳴イメージング装置。
【請求項９】
前記決定手段は、
前記複数の伝送線路のそれぞれで前記高周波増幅器の出力電力を検出し、
検出された複数の出力電力のうち最小出力電力を示す線路長に対して、所定の線路長を加減算して求めた線路長を有する伝送線路を選択する、
請求項７に記載の磁気共鳴イメージング装置。
【請求項１０】
前記送信コイルは、全身用コイルである、
請求項８又は９に記載の磁気共鳴イメージング装置。
【請求項１１】
前記高周波増幅器は、複数の高周波増幅器を含み、
前記決定手段は、前記複数の高周波増幅器において決定される線路長を同一とする、
請求項１乃至１０のうちいずれか一項に記載の磁気共鳴イメージング装置。
【請求項１２】
高周波パルスを送信する送信コイルと、前記送信コイルに高周波パルス信号を伝送する高周波増幅器とを備えた磁気共鳴イメージング装置の調整方法であって、
前記高周波増幅器の出力電力を検出するステップと、
前記送信コイルに負荷がある状態で前記高周波増幅器の出力電力が所定値を超えるように、又は、前記送信コイルに負荷がない状態で前記高周波増幅器の出力電力が所定値を下回るようにして、前記高周波増幅器と前記送信コイルとの間に設けられる伝送線路の線路長を調整するステップと、
を含む磁気共鳴イメージング装置の調整方法。
【請求項１３】
前記伝送線路の線路長を調整するステップにおいて、
前記高周波増幅器の送信効率が略最大となるように伝送線路の線路長を調整する、
請求項１２に記載の磁気共鳴イメージング装置の調整方法。
【手続補正２】
【補正対象書類名】明細書
【補正対象項目名】００４３
【補正方法】変更
【補正の内容】
【００４３】
方向性結合器３２４は、ＲＦパルス信号の伝送線路上に伝送路に非接触で配置され、ＷＢコイル１２に伝送されるＲＦパルス信号を所要の結合度（カップリング係数）にて減衰させて検波器３２５に送る。
【手続補正３】
【補正対象書類名】明細書
【補正対象項目名】００７４
【補正方法】変更
【補正の内容】
【００７４】
シーケンスコントローラ３４は、ステップＳＴ２〜ＳＴ３によって検出されたｎ個の出力電力Ｐ１〜Ｐｎのうち、所定の位相、即ち、最小出力電力ＰＢに対応する位相θＢ（図９に図示）を決定し、位相θＢに基づいて最大出力電力ＰＡに対応する所定の位相θＡ（図９に図示）を算出する（ステップＳＴ１４）。
【手続補正４】
【補正対象書類名】明細書
【補正対象項目名】００８６
【補正方法】変更
【補正の内容】
【００８６】
また、ＭＲＩ装置１Ａは、ＲＦ送信器３２及びＷＢコイル１２の間に、位相切替器３５を備える。なお、位相切替器３５は、ＲＦ送信器３２の内部に備えられてもよい。位相切替器３５は、スイッチ回路ＳＷ及び基板ＢＰを備える。基板ＢＰは、ＲＦ増幅器３２３及びＷＢコイル１２の間に複数の伝送線路を備える。位相切替器３５は、シーケンスコントローラ３４からの切替信号に応じて、複数の伝送線路のうちいずれかにスイッチする。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
複数の遊技釘が植設された遊技盤を有する遊技機におけるこれら遊技釘の検査が可能な装置を用いた遊技釘検査方法であって、
前記装置の傾きを検出するステップと、
前記複数の遊技釘を、撮像手段を用いて予め定められた範囲内に収まるように撮像させる際、前記検出した前記装置の傾きを勘案して撮像させるステップと、
前記撮像させた画像から前記装置を用いて遊技釘の位置を特定するステップと、
前記特定した遊技釘の位置と、前記装置に予め格納されている遊技釘の検査合否の基準となる情報とを比較し、該特定した遊技釘の位置の合否を、前記装置を用いて判定するステップと、を含んでなる遊技釘検査方法。
【請求項２】
前記特定した遊技釘の位置と、前記装置に予め格納されている遊技釘の検査合否の基準となる情報とを比較し、該特定した遊技釘の位置の合否を、前記装置を用いて判定するにあたって、前記撮像させた画像から前記装置を用いて遊技釘の頭部位置を特定し、該特定した遊技釘の頭部位置と、前記装置に予め格納されている遊技釘の検査合否の基準となる情報との差分を算出し、該算出した差分が所定の範囲内か否かでもって、該特定した遊技釘の頭部位置の合否を、前記装置を用いて判定してなる請求項１に記載の遊技釘検査方法。
【請求項３】
前記装置は、前記撮像手段を備え、
前記撮像手段を用いて予め定められた範囲内に収まるように撮像させる際、前記遊技盤と前記装置との位置関係が平行となると該撮像手段による撮像が可能となる請求項１又は２に記載の遊技釘検査方法。
【請求項４】
前記撮像手段は、前記遊技盤と前記装置との位置関係が平行となると、自動で撮像してなる請求項３に記載の遊技釘検査方法。
【請求項５】
前記撮像手段を用いて予め定められた範囲内に収まるように撮像させる際、前記遊技釘の検査合否の基準となる情報に基づくガイド情報を表示させて撮像させてなる請求項１〜４の何れか１項に記載の遊技釘検査方法。
【手続補正２】
【補正対象書類名】明細書
【補正対象項目名】０００８
【補正方法】変更
【補正の内容】
【０００８】
請求項１に係る遊技釘検査方法の発明によれば、複数の遊技釘（例えば、図４に示す遊技釘４８）が植設された遊技盤（例えば、図４に示す遊技盤ＹＢ）を有する遊技機（図２に示すパチンコ遊技機１０）におけるこれら遊技釘（例えば、図４に示す遊技釘４８）の検査が可能な装置（例えば、図１に示す使用者端末２）を用いた遊技釘検査方法であって、
前記装置（例えば、図１に示す使用者端末２）の傾きを検出するステップ（例えば、図１０に示すステップＳ２５）と、
前記複数の遊技釘（例えば、図４に示す遊技釘４８）を、撮像手段（例えば、図９に示す撮像部２０５）を用いて予め定められた範囲内（例えば、図１３に示す撮像枠（画像Ｐ１５ａ））に収まるように撮像させる際、前記検出した前記装置（例えば、図１に示す使用者端末２）の傾きを勘案して撮像させるステップ（例えば、図１０に示すステップＳ２５）と、
前記撮像させた画像から前記装置（例えば、図１に示す使用者端末２）を用いて遊技釘の位置を特定するステップ（例えば、図１０に示すステップＳ２６）と、
前記特定した遊技釘の位置と、前記装置（例えば、図１に示す使用者端末２）に予め格納されている遊技釘の検査合否の基準となる情報とを比較し、該特定した遊技釘の位置の合否を、前記装置（例えば、図１に示す使用者端末２）を用いて判定するステップ（例えば、図１０に示すステップＳ２７）と、を含んでなることを特徴としている。